(57)【要約】【課題】  モジュールソケットに代えて簡単なモジュール用ベースコネクタを使用することにより、安価なフレキシブルフラットケーブルなどの配線部材に接続できるようにすること。【解決手段】  小型のモジュールの複数の端子と配線部材との間に薄板状のモジュール用ベースコネクタを介在する。このベースコネクタは、モジュールハウジングの複数の端子との接続端子を有する嵌め込み枠と、一端部で嵌め込み枠の端子に接続され、他端部で配線部材の端子に接続される接続端子片を有するコネクタハウジングとを一体に構成し、嵌め込み枠のモジュール嵌め込み部に、モジュールハウジングの複数の端子と電気的に接続される端子パターンを形成し、コネクタハウジングに、一端部でフレキシブルフラットボードの配線部材に接続される弾性接触部と、他端部で端子パターンに接続される圧接部とを有する接続端子片を設けたものである。【選択図】  図１
2005222876.tif 000002
【特許請求の範囲】
【請求項１】
小型のモジュールにおける複数の端子と配線部材との間に薄板状のモジュール用ベースコネクタを介在し、このモジュール用ベースコネクタは、前記モジュールのモジュールハウジングに設けた複数の端子と電気的に接続する端子を有する嵌め込み枠と、一端部で前記嵌め込み枠の端子に接続され、他端部で前記配線部材の端子に接続される接続端子片を有するコネクタハウジングとからなることを特徴とするモジュール用コネクタ。
【請求項２】
コネクタハウジングと嵌め込み枠とを一体に構成し、前記嵌め込み枠に設けたモジュール嵌め込み部に、モジュールハウジングに設けた複数の端子と電気的に接続される端子パターンを形成し、前記コネクタハウジングに、一端部で配線部材に接続される弾性接触部と、他端部で前記端子パターンに接続される圧接部とを有する接続端子片を設けたことを特徴とする請求項１記載のモジュール用コネクタ。
【請求項３】
コネクタハウジングと嵌め込み枠とを一体に構成し、前記コネクタハウジングに、一端部で配線部材に接続される弾性接触部と、他端部で前記嵌め込み枠に設けた嵌め込み部まで延び、モジュールのモジュールハウジングに設けた複数の端子と電気的に接続される圧接部とを一体に有する接続端子片を設けたことを特徴とする請求項１記載のモジュール用コネクタ。
【請求項４】
コネクタハウジングと嵌め込み枠とを分離して構成し、前記嵌め込み枠に前記コネクタハウジングの挿入部に挿入される挿入片を一体に形成し、この挿入片の一側面に圧接片を露出して形成し、この圧接片の他端部を延長して、前記嵌め込み枠に設けた嵌め込み部内で一部を露出してモジュールハウジングに設けた複数の端子と電気的に接続される圧接部となし、前記コネクタハウジング内に、前記挿入部内にて一端部が前記圧接片と接続され、他端部が配線部材に接続される端子部を有する接続端子片を設けたことを特徴とする請求項１記載のモジュール用コネクタ。
【請求項５】
コネクタハウジングと嵌め込み枠とを分離して構成し、前記嵌め込み枠に、前記コネクタハウジングの挿入部に挿入される挿入片を一体に形成し、この挿入片の一側面に圧接片を露出して形成し、この圧接片の他端部を延長して、前記嵌め込み枠に設けた嵌め込み部内で一部を露出してモジュールハウジングに設けた複数の端子と電気的に接続される圧接部となし、前記コネクタハウジング内に接続端子片を設け、この接続端子片は、前記挿入部内にて前記圧接片と接続される弾性接触部と、差し込み孔内にてフレキシブルフラットボードの配線部材に接続される弾性接触部とを一体に設けたことを特徴とする請求項１記載のモジュール用コネクタ。
【請求項６】
嵌め込み枠の嵌め込み部に、モジュールを反転して取り付け可能とする貫通孔を形成したことを特徴とする請求項２、３、４又は５記載のモジュール用コネクタ。
【発明の詳細な説明】
【技術分野】
【０００１】
本発明は、携帯電話機用のＣＣＤカメラ、ディスプレイ、マイクなどのように、小型で、しかも端子数の多いモジュールをフレキシブルフラットケーブルなどの配線部材に接続するためのモジュール用コネクタに関するものである。
【背景技術】
【０００２】
端子数が多くて形状の極めて小さなモジュール１０を配線シートに取り付ける一例として、図８（ａ）（ｂ）に示すようなものが知られている（特許文献１参照）。
これらの図において、モジュール１０をモジュールソケット１１のソケットハウジング１３内に上方から嵌め込むと、モジュール１０の両外側面部分でソケットハウジング１３の内側面に設けた係止ばね１４の係止片１５を押込み、さらに圧入すると、モジュール１０の係止面１６に、係止ばね１４の係止片１５が復帰して係止する。モジュール１０の下面の電極は、底部１７に設けたコンタクト１８に圧接する。
このようにモジュール１０をモジュールソケット１１に嵌め込んだ状態で、モジュールソケット１１の底面をＦＰＣ（フレキシブル配線板）１２のプリント配線位置にあわせをしてモジュールソケット１１のコンタクト挿入口２０から突出している端子部１９を半田や導電性接着などにより電気的に接続すると共に、機械的に固着する。
【０００３】
【特許文献１】特開２００３−９２１６８公報。
【発明の開示】
【発明が解決しようとする課題】
【０００４】
モジュール１０をモジュールソケット１１に取り付ける例では、モジュールソケット１１が、モジュール１０の略全体を包み込むほどの高さを有するとともに、その構造が複雑であるだけでなく、モジュールソケット１１をプリント配線パターンに位置合せをする工程、位置合せをした後、端子部１９を半田や導電性接着などにより接続する工程など、ＦＰＣ１２に実装する面倒な作業工程が必要とされる。また、高価なＦＰＣ１２しか使用できないためにコストアップになり、さらに、ＦＰＣ１２にモジュール１０を接続するための配線パターンを作るのに、配線パターン引き回しの制約が大きく、省スペース化が困難である、等の問題があった。
【０００５】
本発明は、モジュールソケットに代えて簡単なモジュール用ベースコネクタを使用することにより、安価なフレキシブルフラットケーブルなどの配線部材に接続できるようにすることを目的とするものである。
【課題を解決するための手段】
【０００６】
本発明は、小型のモジュールの複数の端子と配線部材との間に薄板状のモジュール用ベースコネクタを介在し、このモジュール用ベースコネクタは、前記モジュールのモジュールハウジングに設けた複数の端子と電気的に接続する端子を有する嵌め込み枠と、一端部で前記嵌め込み枠の端子に接続され、他端部で前記配線部材の端子に接続される接続端子片を有するコネクタハウジングとからなり、前記コネクタハウジングと嵌め込み枠とを一体に構成し、前記嵌め込み枠に設けたモジュール嵌め込み部に、モジュールハウジングに設けた複数の端子と電気的に接続される端子パターンを形成し、前記コネクタハウジングに、一端部で配線部材に接続される弾性接触部と、他端部で前記端子パターンに接続される圧接部とを有する接続端子片を設けたことを特徴とするモジュール用コネクタである。
【発明の効果】
【０００７】
請求項１記載の発明によれば、小型のモジュールの複数の端子と配線部材との間に薄板状のモジュール用ベースコネクタを介在し、このモジュール用ベースコネクタは、前記モジュールのモジュールハウジングに設けた複数の端子と電気的に接続する端子を有する嵌め込み枠と、一端部で前記嵌め込み枠の端子に接続され、他端部で前記配線部材の端子に接続される接続端子片を有するコネクタハウジングとからなるので、モジュールソケットに代えて簡単で、しかも、厚さの薄い構造とすることができ、また、配線部材としてＦＦＣ（フレキシブルフラットケーブル）を使用できるので、プリント配線パターンに位置合せをする工程、端子部を半田や導電性接着などにより接続する工程などの複雑な作業工程を省略でき、安価に提供できる。
【０００８】
請求項２記載の発明によれば、コネクタハウジングと嵌め込み枠とを一体に構成し、前記嵌め込み枠に設けたモジュール嵌め込み部に、モジュールのモジュールハウジングに設けた複数の端子と電気的に接続される端子パターンを形成し、前記コネクタハウジングに、一端部で配線部材に接続される弾性接触部と、他端部で前記端子パターンに接続される圧接部とを有する接続端子片を設けたので、コネクタハウジングに接続端子片を取り付けると、接続端子片の一端部の弾性接触部では、配線部材が接続され、接続端子片の他端部の圧接部では、モジュール嵌め込み部の端子パターンに圧接され、端子の接続工程を簡略化できる。また、配線部材としてフレキシブルフラットケーブル（ＦＦＣ）を用いることで、ＦＰＣにモジュールを接続するための配線パターンを作るのに比較して、配線パターン引き回しの制約がなく、省スペース化が可能である。
【０００９】
請求項３記載の発明によれば、コネクタハウジングと嵌め込み枠とを一体に構成し、前記コネクタハウジングに、一端部で配線部材に接続される弾性接触部と、他端部で前記嵌め込み枠に設けた嵌め込み部まで延び、モジュールハウジングに設けた複数の端子と電気的に接続される圧接部とを一体に有する接続端子片を設けたので、モジュール嵌め込み部の端子パターンを形成することなく、モジュールハウジングに設けた複数の端子との接続ができる。
【００１０】
請求項４記載の発明によれば、コネクタハウジングと嵌め込み枠とを分離して構成し、前記嵌め込み枠に前記コネクタハウジングの挿入部に挿入される挿入片を一体に形成し、この挿入片の一側面に圧接片を露出して形成し、この圧接片の他端部を延長して、前記嵌め込み枠に設けた嵌め込み部内で一部を露出してモジュールハウジングに設けた複数の端子と電気的に接続される圧接部となし、前記コネクタハウジング内に、前記挿入部内にて一端部が前記圧接片と接続され、他端部が配線部材に接続される端子部を有する接続端子片を設けたので、嵌め込み枠にモジュールを取り付ける工程と、コネクタハウジングにＦＦＣやＦＰＣとの接続工程と、嵌め込み枠をコネクタハウジングに挿入する工程とをそれぞれ独立して行なうことにより、高価なモジュール、ＦＰＣなどの組み立て上の歩留まりを向上することができる。
【００１１】
請求項５記載の発明によれば、コネクタハウジングと嵌め込み枠とを分離して構成し、前記嵌め込み枠に、前記コネクタハウジングの挿入部に挿入される挿入片を一体に形成し、この挿入片の一側面に圧接片を露出して形成し、この圧接片の他端部を延長して、前記嵌め込み枠に設けた嵌め込み部内で一部を露出してモジュールハウジングに設けた複数の端子と電気的に接続される圧接部となし、前記コネクタハウジング内に接続端子片を設け、この接続端子片は、前記挿入部内にて前記圧接片と接続される弾性接触部と、差し込み孔内にて配線部材に接続される弾性接触部とを一体に設けたので、コネクタハウジングには、モジュールを取り付けた嵌め込み枠を差し込むとともに、配線部材を差し込むだけで簡単に接続ができ、かつ、配線部材として安価なフレキシブルフラットケーブルを利用することができる。また、フレキシブルフラットケーブルを用いることで、ＦＰＣにモジュールを接続するための配線パターンを作るのに比較して、配線パターン引き回しの制約がなく、省スペース化が可能である。
【００１２】
請求項６記載の発明によれば、嵌め込み枠の嵌め込み部に、モジュールを反転して取り付け可能とする貫通孔を形成したので、モジュールの使用目的に応じて上向きに取り付けたり、下向きに取り付けたりすることができる。
【発明を実施するための最良の形態】
【００１３】
本発明は、小型のモジュールの複数の端子と配線部材との間に薄板状のモジュール用ベースコネクタを介在する。このモジュール用ベースコネクタは、前記モジュールのモジュールハウジングに設けた複数の端子と電気的に接続する端子を有する嵌め込み枠と、一端部で前記嵌め込み枠の端子に接続され、他端部で前記配線部材の端子に接続される接続端子片を有するコネクタハウジングとで構成する。
前記コネクタハウジングと嵌め込み枠とは、一体に構成する。前記嵌め込み枠に設けたモジュール嵌め込み部に、モジュールハウジングに設けた複数の端子と電気的に接続される端子パターンを形成する。前記コネクタハウジングに、一端部でフレキシブルフラットケーブルなどの配線部材に接続される弾性接触部と、他端部で前記端子パターンに接続される圧接部とを有する接続端子片を設ける。
また、嵌め込み枠の嵌め込み部に、モジュールを反転して取り付け可能とする貫通孔を形成してもよいし、形成しなくてもよい。
さらに、コネクタハウジングと嵌め込み枠とを分離して構成し、前記嵌め込み枠に、前記コネクタハウジングの挿入部に挿入される挿入片を一体に形成してもよい。
【実施例１】
【００１４】
本発明の第１実施例を図１及び図２に基づき説明する。
１０は、携帯電話器用のＣＣＤカメラ、ディスプレイ、マイクなどのように、数ミリから数センチ程度の極めて小さくて、かつ、端子数の多いモジュールである。このモジュール１０のモジュールハウジング２１には、その下面に多数の電極が露出して設けられている。この電極は、後述するモジュール用ベースコネクタ２２の端子パターン２６と接続するように同一間隔で設けられている。
【００１５】
前記モジュール用ベースコネクタ２２は、ソケットというよりもモジュール１０を、配線部材３０に接続するための薄板状のものである。前記配線部材３０は、以下の実施例では、安価なＦＦＣ（フレキシブルフラットケーブル）としたが、その他、配線基板、ＦＰＣ、ＩＣカードなどであってもよい。
前記モジュール用ベースコネクタ２２は、第１実施例では、ＦＦＣ３０と接続するためのコネクタハウジング２３と、モジュール１０と接続するための嵌め込み枠２４とを一体的に形成したものである。前記嵌め込み枠２４の内側には、前記モジュールハウジング２１を嵌め込み取り付ける嵌め込み部２５がやや窪んで形成されており、この嵌め込み部２５のコネクタハウジング２３側には、所定の間隔で多数の端子パターン２６が設けられ、さらに、嵌め込み部２５の中央部分には、貫通孔２７が形成されている。
また、前記コネクタハウジング２３における嵌め込み枠２４との反対面に、ＦＦＣ３０を差し込み、このＦＦＣ３０のプリント端子部３１と接続するための差し込み孔２８が穿設され、この差し込み孔２８に、接続端子片２９が圧入固定されている。この接続端子片２９は、ＦＦＣ３０の圧入側がＵ字形の弾性接触部３２を有し、また、前記端子パターン２６側には圧接部３３を有する。そして、この圧接部３３は、この圧接部３３の位置まで伸びている前記端子パターン２６と電気的に圧接している。
【００１６】
このような構成において、図３（ａ）に示すように、モジュール１０を上向きにしてモジュールハウジング２１をモジュール用ベースコネクタ２２における嵌め込み枠２４の嵌め込み部２５に載せ、モジュールハウジング２１の下面の電極と嵌め込み部２５の上面の端子パターン２６とを導電性接着剤やロウ付けなどにより電気的に接続する。
また、モジュール用ベースコネクタ２２におけるコネクタハウジング２３の差し込み孔２８にＦＦＣ３０を圧入すると、接続端子片２９によってＦＦＣ３０が挟持されつつ、弾性接触部３２がＦＦＣ３０のプリント端子部３１に電気的に接続される。
【００１７】
図３（ａ）の例では、モジュール１０におけるモジュールハウジング２１の下面に電極を有する場合の組み立て例を示した。
これに対し、図３（ｂ）の例では、モジュール１０におけるモジュールハウジング２１の上面に電極を有する場合の組み立て例を示すもので、この例では、モジュール１０を下向きにして嵌め込み枠２４の貫通孔２７に嵌合し、モジュールハウジング２１の上面の電極と嵌め込み部２５の上面の端子パターン２６とを導電性接着剤やロウ付けなどにより電気的に接続する。
【実施例２】
【００１８】
図４は、本発明の第２実施例を示すもので、この例では、嵌め込み部２５の端子パターン２６に代えて接続端子片２９の圧接部３３を嵌め込み部２５の上面まで延長したものである。この接続端子片２９は、Ｓ字形に２回屈曲したもので、弾性接触部３２が差し込み孔２８に臨ませられ、圧接部３３が嵌め込み部２５にて露出している。また、嵌め込み部２５における圧接部３３の下面には、空隙部３９を形成して圧接部３３に弾性を持たせている。
この例においても嵌め込み枠２４に貫通孔２７を形成したので、図３（ａ）又は（ｂ）に示すように、モジュール１０を上向き又は下向きのいずれの方向にも取り付けることができる。
【実施例３】
【００１９】
図５（ａ）（ｂ）及び図６は、本発明の第３実施例を示すもので、この例では、モジュール用ベースコネクタ２２を構成するコネクタハウジング２３と嵌め込み枠２４とを分離したものである。
この分離した嵌め込み枠２４は、図５（ａ）（ｂ）に示すように、前記同様の嵌め込み部２５を有するとともに、嵌め込み枠２４の一辺から一体に伸びた薄板状の挿入片３４を有する。この挿入片３４の下面に前記端子パターン２６と同一間隔で細長い圧接片３５を露出して設け、この圧接片３５は、嵌め込み枠２４の内部を経て嵌め込み部２５の上面で圧接部３３として露出する。圧接部３３は、ピッチ間隔が狭いときには、嵌め込み部２５の上面に互い違いに露出させる。
前記分離したコネクタハウジング２３は、図６に示すように、コネクタハウジング２３の一側面に、前記挿入片３４の挿入される挿入部３７を有し、この挿入部３７内に、Ｓ字形に２回屈曲した接続端子片２９を取り付け、この接続端子片２９には、前記挿入部３７に臨ませて弾性接触部３８を有し、また、他端面から一体に突出した端子部４０が設けられている。
【００２０】
このような構成において、コネクタハウジング２３の端子部４０をＦＰＣ１２の配線パターン上に位置合せをし、半田３６にて電気的に接続するとともに、機械的にも固着する。また、嵌め込み枠２４の挿入片３４をコネクタハウジング２３の挿入部３７に圧入することにより、嵌め込み枠２４の圧接片３５と接続端子片２９の挿入部３７が接触して電気的、かつ、機械的に接続される。
【実施例４】
【００２１】
図６に示した第３実施例では、モジュール用ベースコネクタ２２は、コネクタハウジング２３と嵌め込み枠２４の分離型であって、かつ、コネクタハウジング２３は、ＦＰＣ１２に接続されるようにした。
これに対し、図７に示す第４実施例では、モジュール用ベースコネクタ２２は、コネクタハウジング２３と嵌め込み枠２４の分離型であるが、コネクタハウジング２３は、ＦＦＣ３０と接続されるようにしたもので、コネクタハウジング２３には、一方側に圧接片３５の圧入される挿入部３７を形成し、他方側にＦＦＣ３０の挿入される差し込み孔２８を形成したものである。そして、差し込み孔２８と挿入部３７に弾性接触部３２と弾性接触部３８を有する接続端子片２９を圧入したものである。
【００２２】
このような構成において、挿入部３７には、嵌め込み枠２４の挿入片３４を圧入して弾性接触部３８と圧接片３５とを接続し、差し込み孔２８には、ＦＦＣ３０を圧入して弾性接触部３２とプリント端子部３１とを接続する。
【００２３】
前記第１、第２、第３及び第４実施例では、嵌め込み枠２４の一側面だけにモジュール１０を取り付けるようにしたが、これに限られるものではなく、図１ないし図７に示すようなモジュール用ベースコネクタ２２を表裏に一体に構成し、２個のモジュール１０を表裏に取り付けるようにすることもできる。
【産業上の利用可能性】
【００２４】
本発明によるモジュール用コネクタは、携帯電話機のみならず、パソコン、プリンタ、ゲーム機などの小型で多数の端子を有するモジュール１０の取り付けに必要なモジュール用ベースコネクタ２２として利用することができる。
【図面の簡単な説明】
【００２５】
【図１】本発明によるモジュール用コネクタの第１実施例を示すもので、モジュール１０とＦＦＣ３０の組み立て前の分解斜視図である。
【図２】図１におけるモジュール用ベースコネクタ２２の第１実施例を示すもので、（ａ）は、平面図、（ｂ）は、左側面図、（ｃ）は、縦断正面図である。
【図３】本発明によるモジュール用コネクタの第１実施例において、（ａ）は、モジュール１０を上向きに組み込んだ断面図、（ｂ）は、モジュール１０を下向きに組み込んだ断面図である。
【図４】本発明によるモジュール用ベースコネクタ２２の第２実施例を示す縦断正面図である。
【図５】本発明によるモジュール用ベースコネクタ２２を、コネクタハウジング２３と嵌め込み枠２４に分離した第３実施例を示すもので、（ａ）は、平面図、（ｂ）は、縦断正面図である。
【図６】本発明の第３実施例の嵌め込み枠２４を、コネクタハウジング２３に組み込み、ＦＰＣ１２に接続した例を示す縦断正面図である。
【図７】本発明の第３実施例の嵌め込み枠２４を、図６と異なるコネクタハウジング２３に組み込み、ＦＦＣ３０に接続した第４実施例を示す縦断正面図である。
【図８】従来のモジュール用ベースコネクタを示すもので、（ａ）は、縦断正面図、（ｂ）は、縦断側面図である。
【符号の説明】
【００２６】
１０…モジュール、１１…モジュールソケット、１２…ＦＰＣ、１３…ソケットハウジング、１４…係止ばね、１５…係止片、１６…係止面、１７…底部、１８…コンタクト、１９…端子部、２０…コンタクト挿入口、２１…モジュールハウジング、２２…モジュール用ベースコネクタ、２３…コネクタハウジング、２４…嵌め込み枠、２５…嵌め込み部、２６…端子パターン、２７…貫通孔、２８…差し込み孔、２９…接続端子片、３０…配線部材としてのフレキシブルフラットケーブル（ＦＦＣ）、３１…プリント端子部、３２…弾性接触部、３３…圧接部、３４…挿入片、３５…圧接片、３６…半田、３７…挿入部、３８…弾性接触部、３９…空隙部、４０…端子部。
【図１】
2005222876.tif 000003
【図２】
2005222876.tif 000004
【図３】
2005222876.tif 000005
【図４】
2005222876.tif 000006
【図５】
2005222876.tif 000007
【図６】
2005222876.tif 000008
【図７】
2005222876.tif 000009
【図８】
2005222876.tif 000010